(57)【要約】本発明は、マスカラブラシに関し、より詳しくは、ブラシ棒の先端部に楕円形のディスクを一地点を中心として一定角度ほど扇形に広げて交差させ、連続して積層したような形状でブラシ部を一体に成形したディスクタイプのマスカラブラシとして、ディスクタイプのマスカラブラシにマスカラ液をつけてまつげに塗布することにより化粧するマスカラブラシに関する。本発明のマスカラブラシは、ブラシ棒２０の一端部にはブラシ部１０を形成してブラシ棒２０の他端部にはマスカラ蓋３０を形成するが、ブラシ棒２０の先端部にディスクを積層したような形状でブラシ部１０を成形したディスクタイプのマスカラブラシであって、ブラシ部１０は、一体で成形され、楕円形のディスクタイプ板クシ歯１２が、一地点ａを中心として一定角度ｂほど扇形に広げて交差させ、連続に配置して積層したような形状で構成されている。【選択図】図５
2008532616.tif 000002
【特許請求の範囲】
【請求項１】
ブラシ棒（２０）の一端部にブラシ部（１０）を形成し、前記ブラシ棒（２０）の他端部にはマスカラ蓋（３０）を形成し、前記ブラシ棒（２０）の先端部にディスクを積層したような形状で前記ブラシ部（１０）を成形したディスクタイプのマスカラブラシであって、
前記ブラシ部（１０）は、一体で成形され、楕円形のディスクタイプ板クシ歯（１２）が一地点ａを中心として一定角度ｂほど扇形に広げて交差させて連続配置することで積層したような形状になるように配置され、
正面にはクシ歯突出部（１４）とクシ歯凹入部（１６）とが現れ、側面には板クシ歯隙間（１７）だけが現れることを特徴とする、
マスカラブラシ。
【請求項２】
前記板クシ歯（１２）は、各板の形態が左右対称楕円形または左右非対称楕円形の平面を有したことを特徴とする、請求項１に記載のマスカラブラシ。
【請求項３】
前記板クシ歯（１２）の一地点ａを中心として扇形に広げた一定角度ｂは、５度から４５度の範囲以内であることを特徴とする、請求項１に記載のマスカラブラシ。
【請求項４】
前記板クシ歯隙間（１７）の角度ｃは、５度から３０度の範囲以内であることを特徴とする、請求項１に記載のマスカラブラシ。
【請求項５】
前記ブラシ部１０は、シリコンラバー(Ｓｉｌｉｃｏｎ Ｒｕｂｂｅｒ)、ゴム、ナイロン、ポリエチレン、ポリプロピレンのいずれかによって製造されていることを特徴とする、請求項１に記載のマスカラブラシ。
【発明の詳細な説明】
【技術分野】
【０００１】
本発明は、マスカラブラシに関し、より詳しくは、一体で形成され、一地点を中心として一定角度ほど扇形に広げて交差させて連続して積層したような形状で、かつブラシ棒の先端部に楕円形のディスクが配置されることで構成されたブラシ部を備えたディスクタイプのマスカラブラシとして、上記ディスクタイプのマスカラブラシにマスカラ液をつけてまつげに塗布することにより化粧するマスカラブラシに関する。
【背景技術】
【０００２】
一般的に、マスカラは、一定粘度及び色彩を有するマスカラ液を貯蔵する容器と、上記容器内のマスカラ液をつけてまつげに塗布するマスカラブラシと、上記マスカラブラシと結合された蓋と、で構成される。
【０００３】
従来のマスカラブラシには、ブラシ棒の先端部に設けられ、多数の合成樹脂で形成された毛を二本の鉄心で捩じることで形成した毛ブラシと、ブラシ棒の先端部にディスクを積層したような形状でブラシ部を成形したディスクタイプのものとがある。
【０００４】
上記従来の毛ブラシは、合成樹脂で形成された毛を鉄心で捩ることで製造するので、その作業が複雑で生産性が低下されるだけではなく、一定な品質を維持しにくいという短所を有している。また、上記従来のディスクタイプのマスカラブラシは、実用新案公開昭５９−８５１１３号公報、アメリカ特許登録ＵＳ６,５９１,８４２号公報、大韓民国特許公開第２００２−００９５１５７号公報に開示されたように、ブラシを合成樹脂材またはゴム材などで一体に成形することで生産性が高く、かつ一定品質を維持することは容易であるが、毛ブラシよりもまつげのカール能力が劣るので、まつげが短くて髪の毛が少ない東洋人には広く普及されていない。
【０００５】
上記従来のディスクタイプのマスカラブラシは、主にシリコンラバー(Ｓｉｌｉｃｏｎ Ｒｕｂｂｅｒ)で製造し、まつげに刺激が少なく、使用感は従来の毛ブラシより優秀である。しかし、マスカラブラシの各板クシ歯の中心が全てブラシ棒の中心と同一であり、各板クシ歯のサイズが全て同一であるので、従来のディスクタイプのマスカラブラシを利用してまつげにマスカラ液を塗布しながらカールするとき、上記マスカラブラシの各板クシ歯がまつげの間に円滑に掘り下げない状態でカールするようになるので、まつげのカール形成が容易ではないだけではなく、まつげがお互いに固まる現象が発生する。
【発明の開示】
【発明が解決しようとする課題】
【０００６】
したがって、本発明は上述したような従来技術の問題点を解決するためになされたもので、その目的は、まつげへの刺激を最小化しながらマスカラブラシの板クシ歯がまつげの間に円滑に浸透するように形成され、まつげのカール(Ｃｕｒｌｉｎｇ)が円滑であり、まつげをきちんと整列すると同時に自然なまつげ化粧が可能とし、ブラシ部が一体で成形され製造を効率的にすることで生産性を極大化させ、一定な品質を維持することができるようにしたまつげ化粧用マスカラブラシを提供することにある。
【課題を解決するための手段】
【０００７】
上記目的を達成するための本発明によるマスカラブラシは、ブラシ棒の先端部にディスクを積層したような形状でブラシ部を成形したディスクタイプのマスカラブラシであって、ブラシ部を一体で成形し、楕円形のディスクタイプ板クシ歯の一地点を中心として一定角度ほど扇形に広げて交差させ、連続配列して積層した形状で構成することを特徴とする。
【０００８】
本発明に係る前述した課題を解決するための手段の説明と後述する実施形態の説明は、例示であり、説明を目的とするものであり、本発明のさらなる説明を提供することを意図していることを理解すべきである。
【発明の効果】
【０００９】
本発明によれば、ブラシ部を一体に成形することで効率的に製造することにより生産性が極大化され、一定な品質を維持することができるので、原価を節減するとともに消費者の信頼を得ることができ、柔らかで弾力的なシリコンラバーのような材質で製造するのでまつげへの刺激を最小化することができる。また、本発明は、楕円形のディスクタイプ板クシ歯が一地点を中心として一定角度ほど扇形に広げて交差させて連続配列して積層したような形態のブラシ部を形成することにより、クシ歯突出部の間にクシ歯凹入部が形成されてマスカラ液をまつげにふんだんに塗ることができ、クシ歯突出部がまつげの間に円滑に浸透させた状態でくしけずるのでまつげのカールが円滑であり、また、上記ブラシ部の側面に形成された板クシ歯隙間を利用してまつげをきちんと整列することで、まつげが固まることがなく自然なまつげ化粧が可能とする非常に有益な発明である。
【発明を実施するための最良の形態】
【００１０】
以下、本発明の好ましい実施の形態について、添付図面を参照しつつ詳細に説明する。
【００１１】
図２は本発明によるマスカラブラシの正面図であり、図３は本発明によるマスカラブラシの側面図であり、図４は本発明によるマスカラブラシの平面図であり、図５は本発明によるマスカラブラシの斜視図であり、図６は本発明によるマスカラブラシの縦断面図である。
【００１２】
図面に示したように、本発明は、ブラシ棒２の一端部にブラシ部１を形成して上記ブラシ棒２の他端部にはマスカラ蓋３を形成し、上記ブラシ棒２の先端部にディスクを積層したような形状でブラシ部１を成形したディスクタイプマスカラブラシであって、ブラシ部１０は、一体で成形され、楕円形のディスクタイプの板クシ歯１２が一地点ａを中心として一定角度ｂほど扇形に広げて交差させて連続配列して積層したような形状で構成されている。
【００１３】
板クシ歯１２が一地点ａを中心として一定角度ｂほど扇形に広げたような形状をなしており、一定角度ｂは、５度から４５度の範囲以内が適当であり、より好ましくは、１０度から３０度の範囲以内が最も望ましい。
【００１４】
ブラシ部１０を形成している板クシ歯１２の各板の形態は、楕円形の平面を有しており、この楕円形の形態は、図４に示したように、左右非対称の楕円形で図示されているが、これは一例示に過ぎないので、左右非対称の楕円形だけではなく左右対称の楕円形も含まれることは当然である。また、ブラシ部１０の材質は、シリコンラバー(Ｓｉｌｉｃｏｎ Ｒｕｂｂｅｒ)、ゴム、ナイロン、ポリエチレン、ポリプロピレンなどで製造することができ、特に、柔らかで弾力的なシリコンラバーで製造することが最も望ましい。
【００１５】
ブラシ部１０は、板クシ歯１２が一地点ａを中心として一定角度ｂほど扇形に広げて交差させて連続配列して積層したような形態なので、この板クシ歯１２が突き出された部分にはクシ歯突出部１４が形成され、更に、板クシ歯１２が凹入された部分にはクシ歯凹入部１６が形成され、隣り合う板クシ歯１２と板クシ歯１２との間には板クシ歯隙間１７が形成される。
【００１６】
ブラシ部１０は、板クシ歯１２が一地点ａを中心として一定角度ｂほど扇形に広げている形態ので、図２に示したように、ブラシ部１０の正面図上ではクシ歯突出部１４とクシ歯凹入部１６が現れるが、側面図上では、図３に示したように、板クシ歯１２の中心軸はブラシ棒２０の中心軸と同一線上にあるので、正面図上のようなクシ歯突出部１４とクシ歯凹入部１６とは現れないで、板クシ歯１２がきちんと一列に配列された形状をなして、図３に示したように、側面図上の板クシ歯１２と板クシ歯１２との間には板クシ歯隙間１７だけが現れる。
【００１７】
このように構成された本発明によるマスカラブラシの作用について説明すれば、次のようである。
【００１８】
本発明によるマスカラブラシは、上述したように正面図上ではクシ歯突出部１４とクシ歯凹入部１６とが現れ、側面図上では板クシ歯隙間１７だけが現れるので、本発明のマスカラブラシを利用してまつげ化粧をするためにマスカラ容器の液をつけると、正面図上のクシ歯突出部１４とクシ歯突出部１４との間のクシ歯凹入部１６にマスカラ液がたくさん付き、側面図上のクシ歯突出部１４とクシ歯突出部１４との間の板クシ歯隙間１７にはマスカラ液が少ししか付かない。
【００１９】
したがって、本発明のマスカラブラシを利用してまつげ化粧をする時には、クシ歯突出部１４とクシ歯凹入部１６とを有するまつげカール部１８を利用してまつげにマスカラ液を塗布することでまつげをカールし、その後、ブラシ部１０の側面である板クシ歯隙間１７だけが現れるまつげ整理部１９を利用してまつげをきちんと整理すれば良い。また、まつげカール部１８は、クシ歯突出部１４が突出してまつげの間に円滑に浸透させることができるので、短くて髪の毛が少ない東洋人のまつげにおいてもまつげの豊かなボリュームとカールの演出が可能である。
【００２０】
さらに、本発明では板クシ歯１２と板クシ歯１２との間にさらに細く鋭い角度の板クシ歯隙間１７が形成されているので、本発明のマスカラブラシを利用してまつげを化粧するためにくしけずるときに、まつげの毛が板クシ歯隙間１７に一本ずつ挿入され、くしけずりながらまつげを持ち上げることにより、まつげの非常に優秀なカール効果が得られる。ここで、板クシ歯隙間１７の角度ｃは、５度から３０度の範囲以内が適当であり、より好ましくは、７度から２０度の範囲以内が最も望ましい。もし、板クシ歯隙間１７の角度ｃが３０度を超過する場合には、まつげを板クシ歯隙間１７に挿入しながらくしけずることができないので効果が低下される。
【図面の簡単な説明】
【００２１】
【図１】従来のマスカラブラシを例示した正面図である。
【図２】本発明によるマスカラブラシを示した正面図である。
【図３】本発明によるマスカラブラシを示した側面図である。
【図４】本発明によるマスカラブラシを示した平面図である。
【図５】本発明によるマスカラブラシを示した斜視図である。
【図６】本発明によるマスカラブラシを示した縦断面図である。
【図１】
2008532616.tif 000003
【図２】
2008532616.tif 000004
【図３】
2008532616.tif 000005
【図４】
2008532616.tif 000006
【図５】
2008532616.tif 000007
【図６】
2008532616.tif 000008
【国際調査報告】
2008532616.tif 000009
2008532616.tif 000010